(57)【特許請求の範囲】
【請求項１】
第１のカバーと第２のカバーとを接合して内部空間を形成し、
前記第１のカバーおよび前記第２のカバーの少なくともいずれか一方に少なくとも１つ以上の開口部を設け、
前記内部空間に設置される部材は前記第１のカバーと前記第２のカバーとの接合による圧力で位置決めされ、
前記開口部は、前記内部空間に設置した部材の側面を押すことができるように設けられることを特徴とする部材格納装置。
【請求項２】
第１のカバーと第２のカバーとを封印して内部空間を形成し、
前記第１のカバーおよび前記第２のカバーの少なくともいずれか一方に少なくとも１つ以上の開口部を設け、
前記内部空間に設置される部材は前記第１のカバーと前記第２のカバーとの封印による圧力で位置決めされ、
前記開口部は、前記内部空間に設置した部材の側面を押すことができるように設けられることを特徴とする部材格納装置。
【請求項３】
第１のカバーと中間ベースとを接合して内部空間を形成し、
前記第１のカバーおよび前記中間ベースの少なくともいずれか一方と第２のカバーとを封印し、
前記第１のカバーに少なくとも１つ以上の開口部を設け、
前記内部空間に設置される部材は前記第１のカバーと前記中間ベースとの接合による圧力で位置決めされ、
前記開口部は、前記内部空間に設置した部材の側面を押すことができるように設けられることを特徴とする部材格納装置。
【請求項４】
前記開口部は前記第１のカバーまたは前記第２のカバーの端部の４辺の近傍に設けられることを特徴とする請求項１から３のいずれか１項に記載の部材格納装置。
【請求項５】
前記開口部は前記４辺の近傍に複数設けられることを特徴とする請求項４記載の部材格納装置。
【請求項６】
前記部材の位置を修正する場合とは、前記部材が前記第１のカバーまたは前記第２のカバーに設けられるリブの上に乗り上げている位置にあり、前記リブの上に乗り上げない正しい位置へ修正する場合であることを特徴とする請求項１から５のいずれか１項に記載の部材格納装置。
【請求項７】
前記部材の位置を修正するための力は、前記部材に対して前記開口部から挿入した器具により加えられることを特徴とする請求項１から６のいずれか１項に記載の部材格納装置。
【請求項８】
液晶の表示面に設置された保護パネルを設置した前面カバーと中間ベースとをネジにより接合し、
基板が装着された前記中間ベースと後面カバーとを封印し、
前記前面カバーの端部の４辺の近傍に２個ずつの開口部を設け、
前記保護パネルが前記前面カバーに設けられるリブの上に乗り上げている位置にある場合、前記保護パネルの位置を前記リブの上に乗り上げない正しい位置へ修正するための力を前記保護パネルに対して前記開口部から挿入した器具により加えられることを特徴とする部材格納装置。
【発明の詳細な説明】
【技術分野】
【０００１】
本発明は、装置に格納された部材の位置を修正する技術に関する。
【背景技術】
【０００２】
部材格納装置としての液晶ユニット等の組立て工程では、図８に示す液晶１０１の表示面に接着されることなく設置されたある程度の強度を持つ保護パネル１０３（液晶１０１側の縁枠部にゴムシール１０２付き）に、図９に示すように前面カバー１０４が装着される際に、保護パネル１０３が図１０（図９の裏面側、以降の図面で同様）の右側の拡大図に示す前面カバー１０４の４辺に設けられたガイドの役割を果たすリブ１０４１の上に乗り上げたままの状態で、そのまま誤装着されてしまうことがある。
【０００３】
図１１に示すように前面カバー１０４にカバーとしての役割を有する中間ベース１０５をネジ１０６で固定して装着する場合、保護パネル１０３が前面カバーのリブの上に乗り上げたままの状態であってもネジはそのままの状態で締まってしまい、保護パネル１０３は前面カバー１０４ーと中間ベース１０５との接合による圧力で位置決めされる。従って、前面カバー１０４に中間ベース１０５をネジ１０６で固定して装着した後に、保護パネル１０３が前面カバー１０４のリブ１０４１の上に乗り上げたままの状態で誤装着されたことが判明した場合は、保護パネル１０３を正しい位置へ修正するために一度中間ベース１０５を固定したネジ１０６をはずして分解することが必要であった。
【０００４】
また、図１２に示すように上記の前面カバー１０４にネジ１０６で固定して装着された中間ベース１０５に基板１０７を装着し、図１３に示すように中間ベース１０５に後面カバー１０８をネジ１０９で固定して装着する。さらに、図１４に示すように基板１０７を弄られないように防犯対策の為、中間ベース１０５と後面カバー１０８とを封印具１１０で挟み込んで封印して液晶ユニットを組み立てる。従って、中間ベース１０５と後面カバー１０８とを封印した後に、上記の保護パネル１０３が前面カバー１０４のリブ１０４１の上に乗り上げたままの状態で誤装着されたことが判明した場合は、保護パネル１０３を正しい位置へ修正するために一度中間ベース１０５を固定したネジ１０６をはずして分解することのみでなく、封印具１１０による封印を解いて液晶ユニット自体を分解することも必要であった。
【０００５】
関連技術として、フレームに突起を形成し、かつ、光反射シートに当該突起を嵌め込む孔を形成して、液晶モジュールの組立ての際に光反射シートを正確に位置決めして外れないように素早くフレームに仮固定する技術が開示されている（例えば、特許文献１参照）。
【先行技術文献】
【特許文献】
【０００６】
【特許文献１】特開２００９−４２００号公報
【発明の概要】
【発明が解決しようとする課題】
【０００７】
しかしながら、上記のように、部材としての保護パネル１０３が部材を格納する装置の筐体としての前面カバー１０４に誤装着されたことが判明した場合に、部材としての保護パネル１０３を正しい位置へ修正するのには、余計な工数がかかり、作業が面倒であり、作業の効率がよくない。
【０００８】
本発明は、以上のような課題を解決するためになされたもので、格納された部材の位置を簡易的に修正することができる部材格納装置を提供することを目的とする。
【課題を解決するための手段】
【０００９】
本発明の第一の部材格納装置は、第１のカバーと第２のカバーとを接合して内部空間を形成し、
前記第１のカバーおよび前記第２のカバーの少なくともいずれか一方に少なくとも１つ以上の開口部を設け、
前記内部空間に設置される部材は前記第１のカバーと前記第２のカバーとの接合による圧力で位置決めされ、
前記開口部は、前記内部空間に設置した部材の側面を押すことができるように設けられることを特徴とする。
【００１０】
本発明の第二の部材格納装置は、第１のカバーと第２のカバーとを封印して内部空間を形成し、
前記第１のカバーおよび前記第２のカバーの少なくともいずれか一方に少なくとも１つ以上の開口部を設け、
前記内部空間に設置される部材は前記第１のカバーと前記第２のカバーとの封印による圧力で位置決めされ、
前記開口部は、前記内部空間に設置した部材の側面を押すことができるように設けられることを特徴とする。
【００１１】
本発明の第三の部材格納装置は、第１のカバーと中間ベースとを接合して内部空間を形成し、
前記第１のカバーおよび前記中間ベースの少なくともいずれか一方と第２のカバーとを封印し、
前記第１のカバーに少なくとも１つ以上の開口部を設け、
前記内部空間に設置される部材は前記第１のカバーと前記第２のカバーとの接合による圧力で位置決めされ、
前記開口部は、前記内部空間に設置した部材の側面を押すことができるように設けられることを特徴とする。
【００１２】
本発明の第四の部材格納装置は、液晶の表示面に設置された保護パネルを設置した前面カバーと中間ベースとをネジにより接合し、
基板が装着された前記中間ベースと後面カバーとを封印し、
前記前面カバーの端部の４辺の近傍に２個ずつの開口部を設け、
前記部材が前記前面カバーに設けられるリブの上に乗り上げている位置にある場合、前記部材の位置を前記リブの上に乗り上げない正しい位置へ修正するための力を前記部材に対して前記開口部から挿入した器具により加えられることを特徴とする。
【発明の効果】
【００１３】
本発明によれば、格納された部材の位置を簡易的に修正することができる。
【図面の簡単な説明】
【００１４】
【図１】本発明の実施の形態に係る中間ベースの開口部の位置を説明する図である。
【図２】本発明の実施の形態に係る中間ベースの開口部の概観図である。
【図３】本発明の実施の形態に係る保護パネルが中間ベースのリブに乗り上げた状態を説明する図である。
【図４】本発明の実施の形態に係る保護パネルの位置の修正を説明する図である。
【図５】本発明の実施の形態に係る位置が修正された保護パネルを説明する図である。
【図６】本発明の実施の形態に係る中間ベースの開口部の他の一例を示す図である。
【図７】本発明の実施の形態に係る中間ベースの開口部の他の一例を示す図である。
【図８】液晶表示面に保護パネルを設置することを説明する図である。
【図９】前面カバーの装着を説明する図である。
【図１０】中間ベースのリブを説明する図である。
【図１１】中間ベースの装着を説明する図である。
【図１２】基板の装着を説明する図である。
【図１３】後面カバーの装着を説明する図である。
【図１４】中間ベースと後面カバーとの封印を説明する図である。
【発明を実施するための形態】
【００１５】
以下、本発明の実施の形態について図面を参照して詳細に説明する。
【００１６】
本実施の形態における部材格納装置としての液晶ユニットの組立て工程は、上記の図８〜図１４に示したものと同様である。
【００１７】
上記の図８〜図１１を用いて説明したとおり、部材格納装置としての液晶ユニットの組立て工程では、保護パネル３に前面カバー４が装着される際に、保護パネル３が前面カバー４の４辺に設けられたガイドの役割を果たすリブ４１の上に乗り上げたままの状態で、そのまま誤装着されてしまうことがある。
【００１８】
本実施の形態における部材格納装置は、図１４の液晶ユニットを下側から見た図である図１に示すように、前面カバー４の４隅に２つずつ計８個の開口部４２−１〜４２−８が設けられている。
【００１９】
上記の図１０に対応する図２（図１の裏面側）に示すように、前面カバー４には、リブ４１より前面カバー４の壁面の外側方向に寄った位置まで開口部４２−７および開口部４２−８が設けられている。
【００２０】
図３は、図１および図２における前面カバー４の４辺のうち開口部４２−１が設けられた１辺側のリブ４１の上に保護パネル３が乗り上げたままの状態で誤装着されてしまった状態を説明する図である。図３の左側の図は図１における前面カバー４の左上の部分の模式図であり、また図３の右側の図は、図３の左側の図のＡ−Ａ断面図である。図３の右側の図を参照するとリブ４１の上に保護パネル３が乗り上げている。なお、リブ４１は図２に示すような開口部の周囲に設けらたものである。図３の左側の図を参照するとその乗り上げた保護パネル３の一部が開口部４２−１の前面カバー４の壁面の内側方向に寄った位置から視認できる。
図３の液晶１、ゴムシール２、保護パネル３、前面カバー４、中間ベース５、後面カバー８等は上記の図８〜図１４に示した手順で組み立てられたものであり、重複する説明は省略する。
【００２１】
図４は、図３のリブ４１の上に保護パネル３が乗り上げたままの状態で誤装着されてしまった状態から保護パネル３を正常な位置に修正する手法を説明する図である。
【００２２】
開口部４２−１に対して図４の下側方向からヘラ１１等の器具を挿入し、保護パネル３の側面を押す。すなわち、図４では保護パネル３の乗り上げを修正すべく矢印の右側方向に押す。なお、ヘラ１１は例示であり、器具に限らずユーザの指や爪等の開口部から保護パネル３の側面を押すことができることができるものはすべて含む。
【００２３】
保護パネル３を正常な位置に修正した状態を示すのが図５である。図５を参照すると保護パネル３はリブ４１のガイドに沿って正常な位置に設置されている。
【００２４】
なお、図３〜図５においては、中間ベース５と後面カバー８とを封印した後に、保護パネル３が前面カバー４のリブ４１の上に乗り上げたままの状態で誤装着されたことが判明した場合を示すが、前面カバー４に中間ベース５をネジ６で固定して装着した後の段階であっても、同様に開口部４２−１に対して図４の下側方向からヘラ１１等の器具を挿入し、保護パネル３の側面を押すことで保護パネル３を正常な位置に修正することができる。
【００２５】
また、本実施の形態における部材格納装置は、図１に示すように、前面カバー４の４隅に２つずつ計８個の開口部４２−１〜４２−８が設けられているので、図１を前提とすると、図１の左側のリブ４１の上に保護パネル３が乗り上げ、図１の左側方向に保護パネル３がずれている場合は、開口部４２−１や開口部４２−８からヘラ１１等の器具を挿入し、図１の右側方向に保護パネル３の側面を押すことで保護パネル３を正常な位置に修正することができる。
同様に図１の右側方向に保護パネル３がずれている場合は、開口部４２−４や開口部４２−５からヘラ１１等の器具を挿入し、図１の左側方向に保護パネル３の側面を押し、また、図１の上側方向に保護パネル３がずれている場合は、開口部４２−２や開口部４２−３からヘラ１１等の器具を挿入し、図１の下側方向に保護パネル３の側面を押し、また、図１の下側方向に保護パネル３がずれている場合は、開口部４２−６や開口部４２−７からヘラ１１等の器具を挿入し、図１の上側方向に保護パネル３の側面を押すことで保護パネル３を正常な位置に修正することができる。
なお、開口部は８個に限られなく少なくとも１つ以上設けられればよく、その位置等は任意である。
【００２６】
また、本実施の形態における部材格納装置は、図３に示すように、前面カバー４の開口部４２−１は、前面カバー４の壁面の外側方向に限界までリブ４１の上に乗り上げ保護パネル３がずれても、開口部４２−１はさらに前面カバー４の壁面の外側方向に開口しているので開口部４２−１からヘラ１１等の器具を挿入し、保護パネル３の側面を押すことで保護パネル３を正常な位置に修正することができる。
一方、図３に示すほど開口部を広く設ける必要がない場合、図６に示すように狭い開口部４２−１´としてもよく、また、図７に示すような開口部４２−１´´であってもヘラ１１等の器具が湾曲している等の場合には保護パネル３の側面を押すことで保護パネル３を正常な位置に修正することができる。
【００２７】
上記の本実施の形態によれば、前面カバー４に中間ベース５をネジ６で固定して装着した後に、保護パネル３が前面カバー４のリブ４１の上に乗り上げたままの状態で誤装着されたことが判明した場合、開口部から器具を挿入し部材としての保護パネル３の側面を押すことで、中間ベース５を固定したネジ６をはずして分解することなく格納された部材の位置を簡易的に修正することができる。
また、中間ベース５と後面カバー８とを封印した後に、保護パネル３が前面カバー４のリブ４１の上に乗り上げたままの状態で誤装着されたことが判明した場合、開口部から器具を挿入し部材としての保護パネル３の側面を押すことで、中間ベース５を固定したネジ６をはずして分解することなく、また封印具１０による封印を解いて液晶ユニット自体を分解することなく格納された部材の位置を簡易的に修正することができる。
【００２８】
なお、上述する各実施の形態は、本発明の好適な実施の形態であり、本発明の要旨を逸脱しない範囲内において種々変更実施が可能である。例えば、前面カバー４のリブ４１とは無関係にずれて設置された保護パネル３を正常な位置に修正する場合に適用可能である。
【符号の説明】
【００２９】
１、１１    液晶
２、１２    ゴムシール
３、１３    保護パネル
４、１４    前面カバー
４１、４２−１´、４２−１´´    リブ
４２−１〜４２−８    開口部
５、１５    中間ベース
６、１６    ネジ
７、１７    基板
８、１８    後面カバー
９、１９    ネジ
１０、２０    封印具
１１    ヘラ
【図１】
0005512351.tif 000002
【図２】
0005512351.tif 000003
【図３】
0005512351.tif 000004
【図４】
0005512351.tif 000005
【図５】
0005512351.tif 000006
【図６】
0005512351.tif 000007
【図７】
0005512351.tif 000008
【図８】
0005512351.tif 000009
【図９】
0005512351.tif 000010
【図１０】
0005512351.tif 000011
【図１１】
0005512351.tif 000012
【図１２】
0005512351.tif 000013
【図１３】
0005512351.tif 000014
【図１４】
0005512351.tif 000015